(57)【要約】【課題】３つのクッションをあらかじめ連結させたものを被介護者の下肢に挟み込ませることにより、被介護者の体位変換などにより、クッションの位置がずれやすいという問題を防ぐことができる褥瘡・拘縮防止用クッションを提供する。【解決手段】被介護者を側臥位とした場合に使用する褥瘡・拘縮防止用クッションであって、一方の下肢を乗せる第１のクッション部３と、他方の下肢を乗せる第３のクッション部７と、両下肢の間に挟む第２のクッション部５とを備え、前記第１のクッション部と第３のクッション部とは、前記第２のクッション部を中間に介在させて連結手段により連結され、前記第１のクッション部及び第３のクッション部は下肢を沈み込ませた状態で乗せ得る大きさであり、前記第２のクッション部は第１及び第３のクッション部より小さい。【選択図】図１
0003207171.tif 000002
【実用新案登録請求の範囲】
【請求項１】
被介護者を側臥位とした場合に使用する褥瘡・拘縮防止用クッションであって、
一方の下肢を乗せる第１のクッション部と、
他方の下肢を乗せる第３のクッション部と、
両下肢の間に挟む第２のクッション部とを備え、
前記第１のクッション部と第３のクッション部とは、前記第２のクッション部を中間に介在させて連結手段により連結され、
前記第１のクッション部及び第３のクッション部は下肢を沈み込ませた状態で乗せ得る大きさであり、
前記第２のクッション部は第１及び第３のクッション部より小さいことを特徴とする褥瘡・拘縮防止用クッション。
【請求項２】
前記連結手段が分離自在であることを特徴とする請求項１に記載の褥瘡・拘縮防止用クッション。
【考案の詳細な説明】
【技術分野】
【０００１】
本考案は、被介護者の褥瘡を防止すると共に拘縮を防止又は緩和させることを目的としたクッションに関するものである。
本出願における「被介護者」とは、介護又は看護される者をいう。また、本考案による褥瘡・拘縮防止用クッションは、介護施設ないし医療機関において用いられるものの他、一般人が入手可能な市販物を含む。
【背景技術】
【０００２】
ベッド上で体位変換ができない被介護者は、筋肉や皮下組織が減少しており、骨が突出している場合が多い。このような被介護者は、同一の姿勢を保っていると、骨の突出している部分に圧力がかかり、褥瘡が発生しやすくなる。
例えば、被介護者を仰臥位に保つと、仙骨部、後頭部、踵骨部に褥瘡が発生しやすい。坐位では尾骨部、坐骨部などに褥瘡が発生しやすい。
そこで、被介護者を側臥位に保つことが良いと考えられる。ここで、側臥位には90度側臥位と30度側臥位がある。被介護者を90度側臥位に保つ場合、仙骨部の除圧ができる。しかし、腸骨稜部、大転子部、外果部などに圧力がかかり、褥瘡が発生しやすい。被介護者を30度側臥位に保てば、骨の突起部分のない臀部で支えることができ、また、ベッドの当たる面積を広くすることができ、かかる圧力を分散することができるため、骨部や大転子部への除圧と褥瘡の予防が可能となる。そのため、一般的に、30度側臥位は褥瘡を防止する体位として、看護や介護の現場では最も多く行われている。
【０００３】
上述のごとく、30度側臥位は看護や介護の現場で好まれている。その際、両下肢の間にクッション等を挟み、圧迫による褥瘡を防いだり、下肢の下にクッション等を配置して踵の部分を浮き上がらせることによって、当該踵の部分の褥瘡を防止したりしている。
【考案の概要】
【考案が解決しようとする課題】
【０００４】
しかしながら、上述の如く、両下肢の間にクッション等を挟み、あるいは、下肢の下にクッション等を配置して踵の部分を浮き上がらせるようにする場合には、体位変換や寝返り、排尿便などの処置などの際にクッションの位置がずれやすいという問題や、体位を固定する介護者によって被介護者の体位が一定しないという問題がある。
【課題を解決するための手段】
【０００５】
上記課題を解決するために、本考案は下記の褥瘡・拘縮防止用クッションを提供する。
第一の考案に係るクッションは、被介護者を側臥位とした場合に使用する褥瘡・拘縮防止用クッションであって、一方の下肢を乗せる第１のクッション部と、他方の下肢を乗せる第３のクッション部と、両下肢の間に挟む第２のクッション部とを備え、前記第１のクッション部と第３のクッション部とは、前記第２のクッション部を中間に介在させて連結手段により連結され、前記第１のクッション部及び第３のクッション部は下肢を沈み込ませた状態で乗せ得る大きさであり、前記第２のクッション部は第１及び第３のクッション部より小さいことを特徴とする褥瘡・拘縮防止用クッションである。
【０００６】
第二の考案に係るクッションは、前記連結手段が分離自在であることを特徴とする請求項１に記載の褥瘡・拘縮防止用クッションである。
【考案の効果】
【０００７】
第一の考案によれば、被介護者の下肢の下に複数個のクッションを配置し、褥瘡を防止するという従来の手法ではなく、３つのクッションをあらかじめ連結させたものを被介護者の下肢に挟み込ませることにより、被介護者の体位変換などにより、クッションの位置がずれやすいという問題を防ぐことができ、また、介護者が誰であっても被介護者の体位をほぼ一定に保てることとなり、安定的かつ継続的な除圧効果が発揮される。なお、本考案の褥瘡・拘縮防止用クッションは褥瘡を防止するのみならず、拘縮を防止又は緩和させる効果をも発揮する。
【０００８】
第二の考案によれば、前記連結手段が分離自在であるため、各クッション部を相互に分離した状態で洗濯し、乾燥させることができる。また、被介護者の体格、体型等に応じて最適のクッション部を選択し、連結することができる。
【図面の簡単な説明】
【０００９】
【図１】図１は本考案における褥瘡・拘縮防止用クッションの使用状態を示す平面図である。
【図２】図２は本考案における褥瘡・拘縮防止用クッションの平面図である。
【図３】図３は本考案における褥瘡・拘縮防止用クッションの斜視図である。
【図４】図４は本考案における褥瘡・拘縮防止用クッションの断面図である。
【図５】図５は図２のＶ−Ｖ線における断面図である。
【図６】図６は図２のＶＩ−ＶＩ線における端面図である。
【図７】図７は図２のＶＩＩ−ＶＩＩ線における端面図である。
【考案を実施するための形態】
【００１０】
図１は本考案に係るクッションの使用状態を示している。30度側臥位とされた被介護者１３の両下肢の間に第２のクッション部５を挟みこませる。また、両下肢の下に、第１のクッション部３及び第３のクッション部７を配置する。その際、踵の部分を浮き上がらせるように配置すべきである。
【００１１】
各クッション部は、第２のクッション部５を中心として、第２のクッション部５と第１のクッション部３及び、第２のクッション部５と第３のクッション部７を、連結部１１及び連結部１３を介して、長尺側縁が隣り合うように、一辺を連結手段により連結する。前記連結手段には、縫合、面ファスナー、スライドファスナー、ホック等が考えられるが、連結手段が露出し、被介護者の下肢に接触しないよう注意する。
【００１２】
前記連結手段を分離自在とすることも可能であり、大小さまざまなクッションを組み合わせて使用したり、クッションを分離して洗濯することが可能となる。分離自在の連結手段としては、面ファスナー、スライドファスナー、ホック等がある。
【００１３】
第１のクッション部３及び第３のクッション部７は、被介護者の両下肢の下に配置されるものである。ここで、被介護者を側臥位とした場合、下側の下肢の下に配置するクッションは上側の下肢の下に配置するクッションより小さいほうが使用し易いが、特にこれに限定されない。また、両クッション部３、７は、下肢を沈み込ませた状態で乗せ得る大きさであるべきである。
また、第１のクッション部３、第３のクッション部７は、一例として、一方を縦約７００ｍｍ、横約４００ｍｍ、厚さは約１５０ｍｍの平面視略長方形とし、他方を、縦約６００ｍｍ、横約４００ｍｍ、厚さは約１００ｍｍの平面視略長方形とするのが好ましいが、必ずしもこれに限定されるものではない。
第２のクッション５は、被介護者の両下肢の間に挟む部分である。第２のクッション部５は、好ましくは第１のクッション部３や第３のクッション部７より小さくし、一例として、縦約４００ｍｍ、横約２５０ｍｍ、厚さは約５０ｍｍの平面視略長方形とするが、必ずしもこれに限定されるものではない。
本考案による褥瘡・拘縮防止用クッションを例えば下記の如く形成した場合には、拘縮の防止又は緩和の効果が好ましく発揮される。すなわち、図５、図７に示すように、第１のクッション部３と第３のクッション部７とにおける被介護者１３の膝が接する略中央部３ａと略中央部７ａとをそれぞれ膨出させる。すなわち、第１のクッション部３は、一例として、平面寸法が縦約７００ｍｍ、横約４００ｍｍとし、厚さが略中央部３ａで約１５０ｍｍ、両端部３ｂ、３ｂで約５０ｍｍとする。また、第３のクッション部７は、一例として、平面寸法が縦約６００ｍｍ、横約４００ｍｍとし、厚さが略中央部７ａで約１００ｍｍ、両端部７ｂ、７ｂで約５０ｍｍとする。
【００１４】
各クッション部３、５、７は、一例として、図４に示すようにクッション材１５をダブルガーゼ素材等の被包材１７により被包してなるものとするが、これに限定されない。
【００１５】
各クッション部３、５、７には取替え可能な中袋が収納されていて、該中袋内に封入するクッション材は、一例としてポリエステル繊維よりなる多数の綿状体と固綿シートの切断片とよりなるものとするが、丸洗いできるものが好ましい。また、各クッション部３、５、７に中袋を収納せず、ポリエステル等のクッション材をそのまま収納しても良い。各クッション部３、５、７に収納されている中身は取り換えや出し入れが可能であっても良い。
【符号の説明】
【００１６】
１  褥瘡・拘縮防止用クッション
３  第１のクッション部
３ａ  略中央部
３ｂ  端部
５  第２のクッション部
７  第３のクッション部
７ａ  略中央部
７ｂ  端部
９  第１のクッション部と第２のクッション部の連結部
１１  第２のクッション部と第3のクッション部の連結部
１３  被介護者
１５  クッション材
１７  被包材
【図１】
0003207171.tif 000003
【図２】
0003207171.tif 000004
【図３】
0003207171.tif 000005
【図４】
0003207171.tif 000006
【図５】
0003207171.tif 000007
【図６】
0003207171.tif 000008
【図７】
0003207171.tif 000009